(57)【要約】  表示の分野に属する色度補正方法及び装置、デバイス、表示装置、記憶媒体を開示する。当該方法は、目標輝度における目標画素ユニット内の表示サブ画素の初期色、及び目標輝度における目標画素ユニットの目標色を取得し、前記目標画素ユニットは、発光色が異なる少なくとも２つの表示サブ画素を含むことと、前記目標色と各表示サブ画素の初期色に基づいて、前記目標輝度の下で、各表示サブ画素の補色ゲインをそれぞれに取得することと、前記目標輝度における各表示サブ画素の補色ゲインに基づいて、目標画素ユニットの色度を補正することと、を含む。本開示は、表示パネルの表示柔軟性を向上させる。
2021517976.tif 000002
【特許請求の範囲】
【請求項１】
目標輝度における目標画素ユニット内の表示サブ画素の初期色、及び前記目標輝度における前記目標画素ユニットの目標色を取得し、前記目標画素ユニットは、発光色が異なる少なくとも２つの表示サブ画素を含むことと、
前記目標色と各表示サブ画素の初期色に基づいて、前記目標輝度の下で、各表示サブ画素の補色ゲインをそれぞれに取得することと、
前記目標輝度における各表示サブ画素の補色ゲインに基づいて、前記目標画素ユニットの色度を補正することと、
を含み、
ここで、前記目標輝度におけるいずれかの表示サブ画素の補色ゲインは、前記目標輝度の下で、前記目標画素ユニットの色を初期色から前記目標色に補正するときに、前記いずれかの表示サブ画素を補正する必要がある度合いを表すために使用される、
色度補正方法。
【請求項２】
前記目標色と各表示サブ画素の初期色に基づいて、前記目標輝度の下で、各表示サブ画素の補色ゲインをそれぞれに取得することは、
前記目標色といずれかの表示サブ画素の初期色に基づいて、前記いずれかの表示サブ画素の輝度と補色ゲインとの対応関係をクエリして、前記目標輝度における前記いずれかの表示サブ画素の補色ゲインを確定し、前記対応関係には、前記いずれかの表示サブ画素が、前記初期色と異なる輝度の下で、前記目標画素ユニットを前記目標色の補色ゲインに補正することが記載されたこと、
を含む、
請求項１に記載の色度補正方法。
【請求項３】
前記目標色といずれかの表示サブ画素の初期色に基づいて、前記いずれかの表示サブ画素の輝度と補色ゲインとの対応関係をクエリして、前記目標輝度における前記いずれかの表示サブ画素の補色ゲインを確定する前に、
前記目標色と各表示サブ画素の初期色に基づいて、複数の参照輝度の下で、各表示サブ画素の補色ゲインをそれぞれに取得することと、
前記目標色と各表示サブ画素の初期色の下で、各表示サブ画素の輝度と補色ゲインとの対応関係を確立することと、
をさらに含む、
請求項２に記載の色度補正方法。
【請求項４】
前記各表示サブ画素の補色ゲインをそれぞれに取得することは、
第１輝度の下で、前記少なくとも２つの表示サブ画素の初期色に基づいて、前記目標画素ユニットの第１初期色を確定し、前記第１輝度は、前記目標輝度または前記複数の参照輝度のいずれかであることと、
前記第１初期色と前記少なくとも２つの表示サブ画素の初期色に基づいて、前記第１初期色に対する各表示サブ画素の初期色の第１置換割合をそれぞれに取得し、前記第１置換割合は、各表示サブ画素の初期色が前記第１初期色に占める割合であることと、
前記目標色と前記少なくとも２つの表示サブ画素の初期色に基づいて、前記目標色に対する前記各表示サブ画素の初期色の第２置換割合をそれぞれに取得し、前記第２置換割合は、各表示サブ画素の初期色が前記目標色に占める割合であることと、
第１置換割合と第２置換割合に基づいて、前記第１輝度における前記第１初期色の第１補色係数、及び前記第１輝度における前記目標色の第２補色係数をそれぞれに確定し、前記第１補色係数は、前記第１初期色を取得するときに、色度補正を行う必要がある度合いを表すために使用され、前記第２補色係数は、前記目標色を取得するときに、色度補正を行う必要がある度合いを表すために使用されることと、
前記第１補色係数と前記第２補色係数に基づいて、前記第１輝度における各表示サブ画素の補色ゲインを確定することと、
を含む、
請求項１または３に記載の色度補正方法。
【請求項５】
前記少なくとも２つの表示サブ画素は、第１サブ画素、第２サブ画素、および第３サブ画素を含み、サブ画素の色が色座標によって表されるとき、前記第１サブ画素に対応する第ｊ置換割合ＲＷｊ１、前記第２サブ画素に対応する第ｊ置換割合ＲＷｊ２、前記第３サブ画素に対応する第ｊ置換割合ＲＷｊ３は、
【数１】
2021517976.tif 000012
を満たし、
ここで、前記ｊは１または２であり、前記第１サブ画素の初期色の色座標は（ＢＸ、ＢＹ）であり、前記第２サブ画素の初期色の色座標は（ＧＸ、ＧＹ）であり、前記第３サブ画素の初期色の色座標は（ＲＸ、ＲＹ）であり、前記第１初期色の色座標は（Ｗ１Ｘ、Ｗ１Ｙ）であり、前記目標色の色座標は（Ｗ２Ｘ、Ｗ２Ｙ）であり、且つ前記ＲＺ＝１−ＲＸ−ＲＹ、ＧＺ＝１−ＧＸ−ＧＹ、ＢＺ＝１−ＢＸ−ＢＹ、Ｗ１Ｚ＝１−Ｗ１Ｘ−Ｗ１Ｙ、Ｗ２Ｚ＝１−Ｗ２Ｘ−Ｗ２Ｙである、
請求項４に記載の色度補正方法。
【請求項６】
サブ画素の色が色座標によって表されるとき、前記第１置換割合と第２置換割合に基づいて、前記第１輝度における前記第１初期色の第１補色係数、及び前記第１輝度における前記目標色の第２補色係数をそれぞれに確定することは、
色座標系における前記第１初期色の色座標と前記目標色の色座標との相対位置を取得することと、
前記相対位置に基づいて、前記第１初期色が前記目標色からずれる原因となるドミナントカラーコンポーネントを確定し、前記ドミナントカラーコンポーネントは、前記第１初期色が前記目標色からずれる原因となるカラーコンポーネントのうち割合が最も大きいカラーコンポーネントであることと、
発光色が前記ドミナントカラーコンポーネントであるサブ画素の第１置換割合を、前記第１補色係数として確定することと、
発光色が前記ドミナントカラーコンポーネントであるサブ画素の第２置換割合を、前記第２補色係数として確定することと、
を含む、
請求項４または５に記載の色度補正方法。
【請求項７】
前記少なくとも２つの表示サブ画素は、第１サブ画素、第２サブ画素、および第３サブ画素を含み、前記相対位置に基づいて、前記第１初期色が前記目標色からずれる原因となるドミナントカラーコンポーネントを確定することは、
前記第１初期色の色座標（Ｗ１Ｘ、Ｗ１Ｙ）と前記目標色の色座標（Ｗ２Ｘ、Ｗ２Ｙ）がＷ１Ｙ≧Ｗ２Ｙを満たすとき、前記第２サブ画素の発光色を前記ドミナントカラーコンポーネントとして確定することと、
前記第１初期色の色座標（Ｗ１Ｘ、Ｗ１Ｙ）と前記目標色の色座標（Ｗ２Ｘ、Ｗ２Ｙ）がＷ１Ｘ≧Ｗ２Ｘ且つＷ１Ｙ＜Ｗ２Ｙを満たすとき、前記第３サブ画素の発光色を前記ドミナントカラーコンポーネントとして確定することと、
前記第１初期色の色座標（Ｗ１Ｘ、Ｗ１Ｙ）と前記目標色の色座標（Ｗ２Ｘ、Ｗ２Ｙ）がＷ１Ｘ＜Ｗ２Ｘ且つＷ１Ｙ＜Ｗ２Ｙを満たすとき、前記第１サブ画素の発光色を前記ドミナントカラーコンポーネントとして確定することと、
を含む、
請求項６に記載の色度補正方法。
【請求項８】
前記第１輝度における前記第１補色係数ＲＷ１、前記第２補色係数ＲＷ２、及び第ｉサブ画素の補色ゲインＧｉは、
【数２】
2021517976.tif 000013
を満たし、
ここで、前記ＲＷ２ｉは、前記第ｉサブ画素に対応する第２置換割合であり、前記ＲＷ１ｉは、前記第ｉサブ画素に対応する第１置換割合であり、前記ｎは、サブ画素に供給される駆動出力信号のビット数であり、前記駆動出力信号は、光を発するように前記サブ画素を駆動するために使用される、
請求項４から７のいずれか１項に記載の色度補正方法。
【請求項９】
前記目標色といずれかの表示サブ画素の初期色に基づいて、前記いずれかの表示サブ画素の輝度と補色ゲインとの対応関係をクエリして、前記目標輝度における前記いずれかの表示サブ画素の補色ゲインを確定することは、
前記目標輝度に従って、前記対応関係をクエリすることと、
前記対応関係には前記目標輝度が記載されたとき、前記目標輝度に対応する補色ゲインを、前記目標輝度における前記いずれかの表示サブ画素の補色ゲインとして確定することと、
前記対応関係には前記目標輝度が記載されていないとき、前記対応関係には記載された複数の輝度の中から第１候補輝度と第２候補輝度を確定し、前記第１候補輝度は、前記複数の輝度のうち前記目標輝度より小さく、且つ前記目標輝度との輝度の差が最も小さい輝度であり、前記第２候補輝度は、前記複数の輝度のうち前記目標輝度より大きく、且つ前記目標輝度との輝度の差が最も小さい輝度であることと、
前記目標輝度、前記第１候補輝度、前記第２候補輝度、前記第１候補輝度に対応する補色ゲイン、及び前記第２候補輝度に対応する補色ゲインに基づいて、線形補間法に従って前記目標輝度における前記いずれかの表示サブ画素の補色ゲインを確定することと、
を含む、
請求項２から８のいずれか１項に記載の色度補正方法。
【請求項１０】
前記目標輝度における各表示サブ画素の補色ゲインに基づいて、前記目標画素ユニットの色度を補正することは、
前記目標輝度におけるいずれかの表示サブ画素の補色ゲインに基づいて、前記いずれかの表示サブ画素に供給される駆動出力信号を確定し、前記駆動出力信号は、光を発するように前記サブ画素を駆動するために使用されることと、
前記目標画素ユニットの色度を補正するために、前記いずれかの表示サブ画素に前記駆動出力信号を供給することと、
を含む、
請求項１から９のいずれか１項に記載の色度補正方法。
【請求項１１】
目標輝度における発光色が異なる少なくとも２つの表示サブ画素を含む目標画素ユニット内の表示サブ画素の初期色、及び前記目標輝度における前記目標画素ユニットの目標色を取得するように構成された第１取得モジュールと、
前記目標色と各表示サブ画素の初期色に基づいて、前記目標輝度の下で、各表示サブ画素の補色ゲインをそれぞれに取得するように構成された第２取得モジュールと、
前記目標輝度における各表示サブ画素の補色ゲインに基づいて、前記目標画素ユニットの色度を補正するように構成された補正モジュールと、
を含み、
ここで、前記目標輝度におけるいずれかの表示サブ画素の補色ゲインは、前記目標輝度の下で、前記目標画素ユニットの色を初期色から前記目標色に補正するときに、前記いずれかの表示サブ画素を補正する必要がある度合いを表すために使用される、
色度補正装置。
【請求項１２】
前記第２取得モジュールは、前記目標色といずれかの表示サブ画素の初期色に基づいて、前記いずれかの表示サブ画素の輝度と補色ゲインとの対応関係をクエリして、前記目標輝度における前記いずれかの表示サブ画素の補色ゲインを確定するように構成され、前記対応関係には、前記いずれかの表示サブ画素が、前記初期色と異なる輝度の下で、前記目標画素ユニットを前記目標色の補色ゲインに補正することが記載される、
請求項１１に記載の色度補正装置。
【請求項１３】
前記目標色と各表示サブ画素の初期色の下で、各表示サブ画素の輝度と補色ゲインとの対応関係を確立するように構成された確立モジュールをさらに含み、
前記第２取得モジュールは、さらに、前記目標色と各表示サブ画素の初期色に基づいて、複数の参照輝度の下で、各表示サブ画素の補色ゲインをそれぞれに取得するように構成された、
請求項１２に記載の色度補正装置。
【請求項１４】
前記第２取得モジュールは、
第１輝度の下で、前記少なくとも２つの表示サブ画素の初期色に基づいて、前記目標画素ユニットの第１初期色を確定するように構成された第１確立サブモジュールと、
前記第１初期色と前記少なくとも２つの表示サブ画素の初期色に基づいて、前記第１初期色に対する各表示サブ画素の初期色の第１置換割合をそれぞれに取得するように構成された第１取得サブモジュールと、
前記目標色と前記少なくとも２つの表示サブ画素の初期色に基づいて、前記目標色に対する前記各表示サブ画素の初期色の第２置換割合をそれぞれに取得するように構成された第２取得サブモジュールと、
第１置換割合と第２置換割合に基づいて、前記第１輝度における前記第１初期色の第１補色係数、及び前記第１輝度における前記目標色の第２補色係数をそれぞれに確定するように構成された第２確立サブモジュールと、
前記第１補色係数と前記第２補色係数に基づいて、前記第１輝度における各表示サブ画素の補色ゲインを確定するように構成された第３確立サブモジュールと、
を含み、
前記第１輝度は、前記目標輝度または前記複数の参照輝度のいずれかであり、前記第１置換割合は、各表示サブ画素の初期色が前記第１初期色に占める割合であり、前記第２置換割合は、各表示サブ画素の初期色が前記目標色に占める割合であり、前記第１補色係数は、前記第１初期色を取得するときに、色度補正を行う必要がある度合いを表すために使用され、前記第２補色係数は、前記目標色を取得するときに、色度補正を行う必要がある度合いを表すために使用される、
請求項１１または１３に記載の色度補正装置。
【請求項１５】
前記少なくとも２つの表示サブ画素は、第１サブ画素、第２サブ画素、および第３サブ画素を含み、サブ画素の色が色座標によって表されるとき、前記第１サブ画素に対応する第ｊ置換割合ＲＷｊ１、前記第２サブ画素に対応する第ｊ置換割合ＲＷｊ２、前記第３サブ画素に対応する第ｊ置換割合ＲＷｊ３は、
【数３】
2021517976.tif 000014
を満たし、
ここで、前記ｊは１または２であり、前記第１サブ画素の初期色の色座標は（ＢＸ、ＢＹ）であり、前記第２サブ画素の初期色の色座標は（ＧＸ、ＧＹ）であり、前記第３サブ画素の初期色の色座標は（ＲＸ、ＲＹ）であり、前記第１初期色の色座標は（Ｗ１Ｘ、Ｗ１Ｙ）であり、前記目標色の色座標は（Ｗ２Ｘ、Ｗ２Ｙ）であり、且つ前記ＲＺ＝１−ＲＸ−ＲＹ、ＧＺ＝１−ＧＸ−ＧＹ、ＢＺ＝１−ＢＸ−ＢＹ、Ｗ１Ｚ＝１−Ｗ１Ｘ−Ｗ１Ｙ、Ｗ２Ｚ＝１−Ｗ２Ｘ−Ｗ２Ｙである、
請求項１４に記載の色度補正装置。
【請求項１６】
サブ画素の色が色座標によって表されるとき、前記第２確立サブモジュールは、
色座標系における前記第１初期色の色座標と前記目標色の色座標との相対位置を取得し、
前記相対位置に基づいて、前記第１初期色が前記目標色からずれる原因となるドミナントカラーコンポーネントを確定し、
発光色が前記ドミナントカラーコンポーネントであるサブ画素の第１置換割合を、前記第１補色係数として確定し、
発光色が前記ドミナントカラーコンポーネントであるサブ画素の第２置換割合を、前記第２補色係数として確定する、
ように構成され、
前記ドミナントカラーコンポーネントは、前記第１初期色が前記目標色からずれる原因となるカラーコンポーネントのうち割合が最も大きいカラーコンポーネントである、
請求項１４または１５に記載の色度補正装置。
【請求項１７】
前記少なくとも２つの表示サブ画素は、第１サブ画素、第２サブ画素、および第３サブ画素を含み、前記第２確立サブモジュールは、
前記第１初期色の色座標（Ｗ１Ｘ、Ｗ１Ｙ）と前記目標色の色座標（Ｗ２Ｘ、Ｗ２Ｙ）がＷ１Ｙ≧Ｗ２Ｙを満たすとき、前記第２サブ画素の発光色を前記ドミナントカラーコンポーネントとして確定し、
前記第１初期色の色座標（Ｗ１Ｘ、Ｗ１Ｙ）と前記目標色の色座標（Ｗ２Ｘ、Ｗ２Ｙ）がＷ１Ｘ≧Ｗ２Ｘ且つＷ１Ｙ＜Ｗ２Ｙを満たすとき、前記第３サブ画素の発光色を前記ドミナントカラーコンポーネントとして確定し、
前記第１初期色の色座標（Ｗ１Ｘ、Ｗ１Ｙ）と前記目標色の色座標（Ｗ２Ｘ、Ｗ２Ｙ）がＷ１Ｘ＜Ｗ２Ｘ且つＷ１Ｙ＜Ｗ２Ｙを満たすとき、前記第１サブ画素の発光色を前記ドミナントカラーコンポーネントとして確定する、
ように構成された、
請求項１６に記載の色度補正装置。
【請求項１８】
色度補正装置を含み、
前記色度補正装置は、
目標輝度における発光色が異なる少なくとも２つの表示サブ画素を含む目標画素ユニット内の表示サブ画素の初期色、及び前記目標輝度における前記目標画素ユニットの目標色を取得するように構成された第１取得モジュールと、
前記目標色と各表示サブ画素の初期色に基づいて、前記目標輝度の下で、各表示サブ画素の補色ゲインをそれぞれに取得するように構成された第２取得モジュールと、
前記目標輝度における各表示サブ画素の補色ゲインに基づいて、前記目標画素ユニットの色度を補正するように構成された補正モジュールと、
を含み、
ここで、前記目標輝度におけるいずれかの表示サブ画素の補色ゲインは、前記目標輝度の下で、前記目標画素ユニットの色を初期色から前記目標色に補正するときに、前記いずれかの表示サブ画素を補正する必要がある度合いを表すために使用される、
表示装置。
【請求項１９】
プロセッサと、
メモリと、
を含み、
前記メモリには少なくとも１つのプログラムが記憶され、前記少なくとも１つのプログラムは、前記プロセッサによって実行されるように構成され、前記少なくとも１つのプログラムがプロセッサによって実行されるとき、請求項１から１０のいずれか１項に記載の色度補正方法を実現する、
色度補正デバイス。
【請求項２０】
コンピュータプログラムが記憶された記憶媒体であって、
記憶された前記コンピュータプログラムがプロセッサによって実行されるとき、請求項１から１０のいずれか１項に記載の色度補正方法を実現する、
記憶媒体。
【発明の詳細な説明】
【技術分野】
【０００１】
本開示は、２０１８年０４月１７日に提出された出願番号２０１８１０３４５２２９.７、発明の名称「色度補正方法及び装置、表示装置」の中国特許出願の優先権を主張し、その全ての内容は参照により本明細書に援用する。
【０００２】
本開示は表示の分野に属し、特に色度補正方法及び装置、デバイス、表示装置、記憶媒体に関するものである。
【背景技術】
【０００３】
有機ＥＬダイオード（Ｏｒｇａｎｉｃ  Ｌｉｇｈｔ−Ｅｍｉｔｔｉｎｇ  Ｄｉｏｄｅ、ＯＬＥＤ）は、電流型発光素子としてますます高性能表示装置に応用され、そして、ＯＬＥＤ表示装置の発光効率を向上させるために、赤（Ｒ）サブ画素、緑（Ｇ）サブ画素、青（Ｂ）サブ画素、白（Ｗ）サブ画素からなる新しいＲＧＢＷ  ＯＬＥＤ表示装置が登場した。ここで、Ｗサブ画素の色は、Ｒサブ画素の色、Ｇサブ画素の色、およびＢサブ画素の色に基づいて確定される。
【発明の概要】
【課題を解決するための手段】
【０００４】
本開示の実施例は、色度補正方法及び装置、デバイス、表示装置、記憶媒体を提供する。技術案は以下の通りである。
【０００５】
一側面において、目標輝度における目標画素ユニット内の表示サブ画素の初期色、及び目標輝度における目標画素ユニットの目標色を取得し、目標画素ユニットは、発光色が異なる少なくとも２つの表示サブ画素を含むことと、
目標色と各表示サブ画素の初期色に基づいて、目標輝度の下で、各表示サブ画素の補色ゲインをそれぞれに取得することと、
目標輝度における各表示サブ画素の補色ゲインに基づいて、目標画素ユニットの色度を補正することと、
を含み、
ここで、目標輝度におけるいずれかの表示サブ画素の補色ゲインは、目標輝度の下で、目標画素ユニットの色を初期色から目標色に補正するときに、いずれかの表示サブ画素を補正する必要がある度合いを表すために使用される、
色度補正方法に関する。
【０００６】
選択肢の一つとして、目標色と各表示サブ画素の初期色に基づいて、目標輝度の下で、各表示サブ画素の補色ゲインをそれぞれに取得することは、
目標色といずれかの表示サブ画素の初期色に基づいて、いずれかの表示サブ画素の輝度と補色ゲインとの対応関係をクエリして、目標輝度におけるいずれかの表示サブ画素の補色ゲインを確定し、対応関係には、いずれかの表示サブ画素が、初期色と異なる輝度の下で、目標画素ユニットを目標色の補色ゲインに補正することが記載されたこと、
を含む。
【０００７】
選択肢の一つとして、目標色といずれかの表示サブ画素の初期色に基づいて、いずれかの表示サブ画素の輝度と補色ゲインとの対応関係をクエリして、目標輝度におけるいずれかの表示サブ画素の補色ゲインを確定する前に、方法は、
目標色と各表示サブ画素の初期色に基づいて、複数の参照輝度の下で、各表示サブ画素の補色ゲインをそれぞれに取得することと、
目標色と各表示サブ画素の初期色の下で、各表示サブ画素の輝度と補色ゲインとの対応関係を確立することと、
をさらに含む。
【０００８】
選択肢の一つとして、各表示サブ画素の補色ゲインをそれぞれに取得することは、
【０００９】
第１輝度の下で、少なくとも２つの表示サブ画素の初期色に基づいて、目標画素ユニットの第１初期色を確定し、第１輝度は、目標輝度または複数の参照輝度のいずれかであることと、
【００１０】
第１初期色と少なくとも２つの表示サブ画素の初期色に基づいて、第１初期色に対する各表示サブ画素の初期色の第１置換割合をそれぞれに取得し、第１置換割合は、各表示サブ画素の初期色が第１初期色に占める割合であることと、
【００１１】
目標色と少なくとも２つの表示サブ画素の初期色に基づいて、目標色に対する各表示サブ画素の初期色の第２置換割合をそれぞれに取得し、第２置換割合は、各表示サブ画素の初期色が目標色に占める割合であることと、
【００１２】
第１置換割合と第２置換割合に基づいて、第１輝度における第１初期色の第１補色係数、及び第１輝度における目標色の第２補色係数をそれぞれに確定し、第１補色係数は、第１初期色を取得するときに、色度補正を行う必要がある度合いを表すために使用され、第２補色係数は、目標色を取得するときに、色度補正を行う必要がある度合いを表すために使用されることと、
【００１３】
第１補色係数と第２補色係数に基づいて、第１輝度における各表示サブ画素の補色ゲインを確定することと、
を含む。
【００１４】
選択肢の一つとして、少なくとも２つの表示サブ画素は、第１サブ画素、第２サブ画素、および第３サブ画素を含み、サブ画素の色が色座標によって表されるとき、第１サブ画素に対応する第ｊ置換割合ＲＷｊ１、第２サブ画素に対応する第ｊ置換割合ＲＷｊ２、第３サブ画素に対応する第ｊ置換割合ＲＷｊ３は、
【００１５】
【数１】
2021517976.tif 000003
【００１６】
を満たし、
ここで、ｊは１または２であり、第１サブ画素の初期色の色座標は（ＢＸ、ＢＹ）であり、第２サブ画素の初期色の色座標は（ＧＸ、ＧＹ）であり、第３サブ画素の初期色の色座標は（ＲＸ、ＲＹ）であり、第１初期色の色座標は（Ｗ１Ｘ、Ｗ１Ｙ）であり、目標色の色座標は（Ｗ２Ｘ、Ｗ２Ｙ）であり、且つＲＺ＝１−ＲＸ−ＲＹ、ＧＺ＝１−ＧＸ−ＧＹ、ＢＺ＝１−ＢＸ−ＢＹ、Ｗ１Ｚ＝１−Ｗ１Ｘ−Ｗ１Ｙ、Ｗ２Ｚ＝１−Ｗ２Ｘ−Ｗ２Ｙである。
【００１７】
選択肢の一つとして、サブ画素の色が色座標によって表されるとき、第１置換割合と第２置換割合に基づいて、第１輝度における第１初期色の第１補色係数、及び第１輝度における目標色の第２補色係数をそれぞれに確定することは、
色座標系における第１初期色の色座標と目標色の色座標との相対位置を取得することと、
相対位置に基づいて、第１初期色が目標色からずれる原因となるドミナントカラーコンポーネントを確定し、ドミナントカラーコンポーネントは、第１初期色が目標色からずれる原因となるカラーコンポーネントのうち割合が最も大きいカラーコンポーネントであることと、
発光色がドミナントカラーコンポーネントであるサブ画素の第１置換割合を、第１補色係数として確定することと、
発光色がドミナントカラーコンポーネントであるサブ画素の第２置換割合を、第２補色係数として確定することと、
を含む。
【００１８】
選択肢の一つとして、少なくとも２つの表示サブ画素は、第１サブ画素、第２サブ画素、および第３サブ画素を含み、相対位置に基づいて、第１初期色が目標色からずれる原因となるドミナントカラーコンポーネントを確定することは、
第１初期色の色座標（Ｗ１Ｘ、Ｗ１Ｙ）と目標色の色座標（Ｗ２Ｘ、Ｗ２Ｙ）がＷ１Ｙ≧Ｗ２Ｙを満たすとき、第２サブ画素の発光色をドミナントカラーコンポーネントとして確定することと、
第１初期色の色座標（Ｗ１Ｘ、Ｗ１Ｙ）と目標色の色座標（Ｗ２Ｘ、Ｗ２Ｙ）がＷ１Ｘ≧Ｗ２Ｘ且つＷ１Ｙ＜Ｗ２Ｙを満たすとき、第３サブ画素の発光色をドミナントカラーコンポーネントとして確定することと、
第１初期色の色座標（Ｗ１Ｘ、Ｗ１Ｙ）と目標色の色座標（Ｗ２Ｘ、Ｗ２Ｙ）がＷ１Ｘ＜Ｗ２Ｘ且つＷ１Ｙ＜Ｗ２Ｙを満たすとき、第１サブ画素の発光色をドミナントカラーコンポーネントとして確定することと、
を含む。
【００１９】
選択肢の一つとして、第１輝度における第１補色係数ＲＷ１、第２補色係数ＲＷ２、及び第ｉサブ画素の補色ゲインＧｉは、
【００２０】
【数２】
2021517976.tif 000004
【００２１】
を満たし、
ここで、ＲＷ２ｉは、第ｉサブ画素に対応する第２置換割合であり、ＲＷ１ｉは、第ｉサブ画素に対応する第１置換割合であり、ｎは、サブ画素に供給される駆動出力信号のビット数であり、駆動出力信号は、光を発するようにサブ画素を駆動するために使用される。
【００２２】
選択肢の一つとして、目標色といずれかの表示サブ画素の初期色に基づいて、いずれかの表示サブ画素の輝度と補色ゲインとの対応関係をクエリして、目標輝度におけるいずれかの表示サブ画素の補色ゲインを確定することは、
目標輝度に従って、対応関係をクエリすることと、
対応関係には目標輝度が記載されたとき、目標輝度に対応する補色ゲインを、目標輝度におけるいずれかの表示サブ画素の補色ゲインとして確定することと、
対応関係には目標輝度が記載されていないとき、対応関係には記載された複数の輝度の中から第１候補輝度と第２候補輝度を確定し、第１候補輝度は、複数の輝度のうち目標輝度より小さく、且つ目標輝度との輝度の差が最も小さい輝度であり、第２候補輝度は、複数の輝度のうち目標輝度より大きく、且つ目標輝度との輝度の差が最も小さい輝度であることと、
目標輝度、第１候補輝度、第２候補輝度、第１候補輝度に対応する補色ゲイン、及び第２候補輝度に対応する補色ゲインに基づいて、線形補間法に従って目標輝度におけるいずれかの表示サブ画素の補色ゲインを確定することと、
を含む。
【００２３】
選択肢の一つとして、目標輝度における各表示サブ画素の補色ゲインに基づいて、目標画素ユニットの色度を補正することは、
目標輝度におけるいずれかの表示サブ画素の補色ゲインに基づいて、いずれかの表示サブ画素に供給される駆動出力信号を確定し、駆動出力信号は、光を発するようにサブ画素を駆動するために使用されることと、
目標画素ユニットの色度を補正するために、いずれかの表示サブ画素に駆動出力信号を供給することと、
を含む。
【００２４】
別の側面において、目標輝度における発光色が異なる少なくとも２つの表示サブ画素を含む目標画素ユニット内の表示サブ画素の初期色、及び目標輝度における目標画素ユニットの目標色を取得するように構成された第１取得モジュールと、
目標色と各表示サブ画素の初期色に基づいて、目標輝度の下で、各表示サブ画素の補色ゲインをそれぞれに取得するように構成された第２取得モジュールと、
目標輝度における各表示サブ画素の補色ゲインに基づいて、目標画素ユニットの色度を補正するように構成された補正モジュールと、
を含み、
ここで、目標輝度におけるいずれかの表示サブ画素の補色ゲインは、目標輝度の下で、目標画素ユニットの色を初期色から目標色に補正するときに、いずれかの表示サブ画素を補正する必要がある度合いを表すために使用される、
色度補正装置に関する。
【００２５】
選択肢の一つとして、第２取得モジュールは、目標色といずれかの表示サブ画素の初期色に基づいて、いずれかの表示サブ画素の輝度と補色ゲインとの対応関係をクエリして、目標輝度におけるいずれかの表示サブ画素の補色ゲインを確定するように構成され、対応関係には、いずれかの表示サブ画素が、初期色と異なる輝度の下で、目標画素ユニットを目標色の補色ゲインに補正することが記載される。
【００２６】
選択肢の一つとして、第２取得モジュールは、さらに、目標色と各表示サブ画素の初期色に基づいて、複数の参照輝度の下で、各表示サブ画素の補色ゲインをそれぞれに取得するように構成され、
装置は、目標色と各表示サブ画素の初期色の下で、各表示サブ画素の輝度と補色ゲインとの対応関係を確立するように構成された確立モジュールをさらに含む。
【００２７】
選択肢の一つとして、第２取得モジュールは、
第１輝度の下で、少なくとも２つの表示サブ画素の初期色に基づいて、目標画素ユニットの第１初期色を確定するように構成された第１確立サブモジュールと、
第１初期色と少なくとも２つの表示サブ画素の初期色に基づいて、第１初期色に対する各表示サブ画素の初期色の第１置換割合をそれぞれに取得するように構成された第１取得サブモジュールと、
目標色と少なくとも２つの表示サブ画素の初期色に基づいて、目標色に対する各表示サブ画素の初期色の第２置換割合をそれぞれに取得するように構成された第２取得サブモジュールと、
第１置換割合と第２置換割合に基づいて、第１輝度における第１初期色の第１補色係数、及び第１輝度における目標色の第２補色係数をそれぞれに確定するように構成された第２確立サブモジュールと、
第１補色係数と第２補色係数に基づいて、第１輝度における各表示サブ画素の補色ゲインを確定するように構成された第３確立サブモジュールと、
を含み、
第１輝度は、目標輝度または複数の参照輝度のいずれかであり、第１置換割合は、各表示サブ画素の初期色が第１初期色に占める割合であり、第２置換割合は、各表示サブ画素の初期色が目標色に占める割合であり、第１補色係数は、第１初期色を取得するときに、色度補正を行う必要がある度合いを表すために使用され、第２補色係数は、目標色を取得するときに、色度補正を行う必要がある度合いを表すために使用される。
【００２８】
選択肢の一つとして、少なくとも２つの表示サブ画素は、第１サブ画素、第２サブ画素、および第３サブ画素を含み、サブ画素の色が色座標によって表されるとき、第１サブ画素に対応する第ｊ置換割合ＲＷｊ１、第２サブ画素に対応する第ｊ置換割合ＲＷｊ２、第３サブ画素に対応する第ｊ置換割合ＲＷｊ３は、
【００２９】
【数３】
2021517976.tif 000005
【００３０】
を満たし、
ここで、ｊは１または２であり、第１サブ画素の初期色の色座標は（ＢＸ、ＢＹ）であり、第２サブ画素の初期色の色座標は（ＧＸ、ＧＹ）であり、第３サブ画素の初期色の色座標は（ＲＸ、ＲＹ）であり、第１初期色の色座標は（Ｗ１Ｘ、Ｗ１Ｙ）であり、目標色の色座標は（Ｗ２Ｘ、Ｗ２Ｙ）であり、且つＲＺ＝１−ＲＸ−ＲＹ、ＧＺ＝１−ＧＸ−ＧＹ、ＢＺ＝１−ＢＸ−ＢＹ、Ｗ１Ｚ＝１−Ｗ１Ｘ−Ｗ１Ｙ、Ｗ２Ｚ＝１−Ｗ２Ｘ−Ｗ２Ｙである。
【００３１】
選択肢の一つとして、サブ画素の色が色座標によって表されるとき、第２確立サブモジュールは、
色座標系における第１初期色の色座標と目標色の色座標との相対位置を取得し、
相対位置に基づいて、第１初期色が目標色からずれる原因となるドミナントカラーコンポーネントを確定し、
発光色がドミナントカラーコンポーネントであるサブ画素の第１置換割合を、第１補色係数として確定し、
発光色がドミナントカラーコンポーネントであるサブ画素の第２置換割合を、第２補色係数として確定する、
ように構成され、
ドミナントカラーコンポーネントは、第１初期色が目標色からずれる原因となるカラーコンポーネントのうち割合が最も大きいカラーコンポーネントである。
【００３２】
選択肢の一つとして、少なくとも２つの表示サブ画素は、第１サブ画素、第２サブ画素、および第３サブ画素を含み、第２確立サブモジュールは、
第１初期色の色座標（Ｗ１Ｘ、Ｗ１Ｙ）と目標色の色座標（Ｗ２Ｘ、Ｗ２Ｙ）がＷ１Ｙ≧Ｗ２Ｙを満たすとき、第２サブ画素の発光色をドミナントカラーコンポーネントとして確定し、
第１初期色の色座標（Ｗ１Ｘ、Ｗ１Ｙ）と目標色の色座標（Ｗ２Ｘ、Ｗ２Ｙ）がＷ１Ｘ≧Ｗ２Ｘ且つＷ１Ｙ＜Ｗ２Ｙを満たすとき、第３サブ画素の発光色をドミナントカラーコンポーネントとして確定し、
第１初期色の色座標（Ｗ１Ｘ、Ｗ１Ｙ）と目標色の色座標（Ｗ２Ｘ、Ｗ２Ｙ）がＷ１Ｘ＜Ｗ２Ｘ且つＷ１Ｙ＜Ｗ２Ｙを満たすとき、第１サブ画素の発光色をドミナントカラーコンポーネントとして確定する、
ように構成される。
【００３３】
また別の側面において、色度補正装置を含み、色度補正装置は、
目標輝度における発光色が異なる少なくとも２つの表示サブ画素を含む目標画素ユニット内の表示サブ画素の初期色、及び目標輝度における目標画素ユニットの目標色を取得するように構成された第１取得モジュールと、
目標色と各表示サブ画素の初期色に基づいて、目標輝度の下で、各表示サブ画素の補色ゲインをそれぞれに取得するように構成された第２取得モジュールと、
目標輝度における各表示サブ画素の補色ゲインに基づいて、目標画素ユニットの色度を補正するように構成された補正モジュールと、
を含み、
ここで、目標輝度におけるいずれかの表示サブ画素の補色ゲインは、目標輝度の下で、目標画素ユニットの色を初期色から目標色に補正するときに、いずれかの表示サブ画素を補正する必要がある度合いを表すために使用される、
表示装置に関する。
【００３４】
さらに別の側面において、プロセッサと、
メモリと、
を含み、
メモリには少なくとも１つのプログラムが記憶され、少なくとも１つのプログラムは、プロセッサによって実行されるように構成され、少なくとも１つのプログラムがプロセッサによって実行されるとき、上述の側面のいずれかに記載の色度補正方法を実現する、
色度補正デバイスに関する。
【００３５】
さらに別の側面において、コンピュータプログラムが記憶された記憶媒体であって、記憶されたコンピュータプログラムがプロセッサによって実行されるとき、上述の側面のいずれかに記載の色度補正方法を実現する記憶媒体に関する。
【００３６】
本開示の実施例における技術案をより明確に説明するために、以下、実施例の説明で使用される図面を簡単に説明する。以下の説明における図面は、本開示のいくつかの実施例に過ぎない。当業者にとって、創造的な作業を行うことなく、これらの図面に基づいて他の図面を得ることもできる。
【図面の簡単な説明】
【００３７】
【図１】本開示の実施例による色度補正方法のフローチャートである。
【図２】本開示の実施例による別の色度補正方法のフローチャートである。
【図３】本開示の実施例による各表示サブ画素の補色ゲインをそれぞれに取得する方法のフローチャートである。
【図４】本開示の実施例によるＲサブ画素、Ｇサブ画素、Ｂサブ画素、およびＷサブ画素の色座標の概略図である。
【図５】本開示の実施例による輝度とともに変化するＷサブ画素のＸ軸色座標の概略図である。
【図６】本開示の実施例による輝度とともに変化するＷサブ画素のＹ軸色座標の概略図である。
【図７】本開示の実施例による当該第１補色係数と第２補色係数を確定する方法のフローチャートである。
【図８】本開示の実施例による異なる輝度におけるＢサブ画素に対応する補色ゲインの概略図である。
【図９】本開示の実施例による異なる輝度におけるＧサブ画素に対応する補色ゲインの概略図である。
【図１０】本開示の実施例による異なる輝度におけるＲサブ画素に対応する補色ゲインの概略図である。
【図１１】本開示の実施例による目標色といずれかの表示サブ画素の初期色に基づいて、いずれかの表示サブ画素の輝度と補色ゲインとの対応関係をクエリして、目標輝度におけるいずれかの表示サブ画素の補色ゲインを確定する方法のフローチャートである。
【図１２】本開示の実施例による色度補償装置の概略構造図である。
【図１３】本開示の実施例による別の色度補償装置の概略構造図である。
【図１４】本開示の実施例による第２取得モジュールの概略構造図である。
【図１５】本開示の実施例による表示装置の概略構造図である。
【図１６】本開示の実施例によるタイミングコントローラの概略構造図である。
【図１７】本開示の実施例による画素ユニットの概略構造図である。
【発明を実施するための形態】
【００３８】
本開示の原理および利点をより明確にするために、以下、図面を参照して本開示の実施形態をさらに詳しく説明する。
【００３９】
通常、ＲＧＢＷ  ＯＬＥＤ表示装置では、Ｗサブ画素の色は、色度原理に従って、Ｒサブ画素の色、Ｇサブ画素の色、およびＣサブ画素の色に基づいて確定され、そして、表示パネルによって表示される色は、Ｒサブ画素によって表示される色、Ｇサブ画素によって表示される色、Ｂサブ画素によって表示される色が混合された後の色である。しかしながら、異なる応用状況においては、表示パネルによって最終的に表示される色に対して異なる要求がある。したがって、表示パネルの表示柔軟性を向上させるために、表示パネルによって表示される色が対応する応用状況を満足するように、異なる応用状況のニーズに応じて表示パネルにおける画素ユニットに対し色度補正を行う必要もある。
【００４０】
本開示の実施例は、表示パネルにおける画素ユニットに対し色度補正を行うために使用される色度補正方法に関する。ここで、表示パネルは、複数の画素ユニットを含み、各画素ユニットは、色が異なる少なくとも２つの表示サブ画素を含む。図１に示すように、当該方法は以下のステップを含む。
【００４１】
ステップ１０１において、目標輝度における目標画素ユニット内の表示サブ画素の初期色、及び目標輝度における目標画素ユニットの目標色を取得する。
【００４２】
ここで、目標画素ユニットは、発光色が異なる少なくとも２つの表示サブ画素を含む。当該目標色は、目標画素ユニットに対し色度補正を行った後に、当該目標画素ユニットによって表示されるすべき色である。選択肢の一つとして、当該目標色は、応用状況のニーズに応じて確定された目標画素ユニットが表示する必要がある色であってもよい。
【００４３】
ステップ１０２において、目標色と各表示サブ画素の初期色に基づいて、目標輝度の下で、各表示サブ画素の補色ゲインをそれぞれに取得する。
【００４４】
ステップ１０３において、目標輝度における各表示サブ画素の補色ゲインに基づいて、目標画素ユニットの色度を補正する。
【００４５】
ここで、目標輝度におけるいずれかの表示サブ画素の補色ゲインは、目標輝度の下で、目標画素ユニットの色を初期色から目標色に補正するときに、いずれかの表示サブ画素を補正する必要がある度合いを表すために使用される。
【００４６】
以上のように、本開示の実施例による色度補償方法は、目標色と各表示サブ画素の初期色に基づいて、目標輝度における各表示サブ画素の補色ゲインをそれぞれに取得し、当該補色ゲインに基づいて、目標画素ユニットの色度を補正することにより、異なる応用状況に応じて表示パネルによって表示される色を補正することができ、これにより、表示パネルによって表示される色が異なる応用状況を満たし、ひいては表示パネルの表示柔軟性を向上させ、表示パネルが様々な応用状況に適用されるようにする。
【００４７】
選択肢の一つとして、表示パネルの表示プロセスに、各表示サブ画素の補色ゲインをリアルタイムで取得し、当該補色ゲインに基づいて目標画素ユニットに対し色度補正を行ってもよい。または、表示サブ画素の輝度と補色ゲインとの対応関係を予め確立しておき、表示サブ画素の補色ゲインを取得する必要がある場合には、当該対応関係をクエリして、当該表示サブ画素の補色ゲインを得るようにしてもよい。以下、対応関係を予め確立しておき、当該対応関係をクエリして、表示サブ画素の補色ゲインを得ることを例にして、本開示の実施例による色度補償方法を説明する。図２に示すように、当該方法は以下のステップを含む。
【００４８】
ステップ２０１において、目標色と各表示サブ画素の初期色に基づいて、複数の参照輝度の下で、各表示サブ画素の補色ゲインをそれぞれに取得する。
【００４９】
ここで、表示パネルは、複数の画素ユニットを含み、各画素ユニットは、少なくとも２つの表示サブ画素を含む。実現可能な実施形態では、当該複数の画素ユニットのすべてまたは一部の補色ゲインを取得し、輝度と補色ゲインとの対応関係を確立することにより、その後の表示パネルの使用プロセスに、当該対応関係に従って目標輝度における表示サブ画素の補色ゲインを取得し、ひいては当該補色ゲインに基づいて表示パネルに対する色度補正を実現する。説明を容易にするために、当該補色ゲインを取得する必要がある表示サブ画素が存在する画素ユニットは、参照画素ユニットと呼ばれることができる。例えば、対応関係には、異なる輝度における表示パネル内のすべての画素ユニットの異なる色の表示サブ画素と補色ゲインとの対応関係が記載された場合、表示パネル内のすべての画素ユニットの表示サブ画素の補色ゲインを取得する必要があり、当該参照画素ユニットは表示パネル内のすべての画素ユニットのいずれかである。ちなみに、当該参照画素ユニットは、後の色度補正プロセスに色度補正を必要とする目標画素ユニットであってもよく、当該目標画素ユニットでなくてもよく、本開示の実施例は、これを具体的に限定しない。
【００５０】
選択肢の一つとして、図３を参照し、目標色と各表示サブ画素の初期色に基づいて、複数の参照輝度の下で、各表示サブ画素の補色ゲインをそれぞれに取得する形態は、以下のステップを含む。ここで、当該第１輝度は、複数の参照輝度のいずれかである。
【００５１】
ステップ２０１１において、第１輝度の下で、少なくとも２つの表示サブ画素の初期色に基づいて、目標画素ユニットの第１初期色を確定する。
【００５２】
ここで、各表示サブ画素の初期色は、表示装置のメモリに記憶された色であってもよい。そして、当該初期色は、表示パネルの表示プロセスに光学機器により測定され、当該メモリに記憶されてもよい。ちなみに、画素ユニットの色は、当該画素ユニットにおける各表示サブ画素の色を混合することで得られるので、色度原理に従って、各表示サブ画素の初期色に基づいて、参照画素ユニットの第１初期色を確定することができる。
【００５３】
例示的に、少なくとも２つの表示サブ画素がＲサブ画素、Ｇサブ画素、およびＢサブ画素を含むと仮定すると、図４を参照して、色が色座標によって表される場合、色座標系における各表示サブ画素の初期色に基づいて確定された色座標の位置を図４に示し、且つ、色度原理に従って、当該Ｒサブ画素、当該Ｇサブ画素、および当該Ｂサブ画素の初期色に基づいて、参照画素ユニットの第１初期色を確定することができ、当該第１初期色に対応する色座標の位置を図４のＷに示し、図４から分かるように、当該参照画素ユニットの色座標の位置は、当該Ｒサブ画素、Ｇサブ画素、およびＢサブ画素の色座標で囲まれた三角形の内部にある。
【００５４】
さらに、輝度は色座標に影響を与え、輝度が変化し且つ色の他のコンポーネントが変化しないとき、それに伴って色座標が変化する。例示的に、図５および図６は、それぞれ、輝度とともに変化する画素ユニットのＸ軸色座標およびＹ軸色座標の概略図であり、図５および図６から分かるように、異なる輝度の下で、画素ユニットの色座標が異なり、且つＸ軸色座標およびＹ軸色座標が輝度とともに変化する状況は異なる。したがって、異なる輝度に応じて各表示サブ画素の補色ゲインを確定する必要がある。
【００５５】
ステップ２０１２において、第１初期色と少なくとも２つの表示サブ画素の初期色に基づいて、第１初期色に対する各表示サブ画素の初期色の第１置換割合をそれぞれに取得する。
【００５６】
ここで、第１置換割合は、各表示サブ画素の初期色が第１初期色に占める割合である。
【００５７】
選択肢の一つとして、参照画素ユニットにおける少なくとも２つの表示サブ画素は、第１サブ画素、第２サブ画素、および第３サブ画素を含んでもよく、例えば、第１サブ画素はＢサブ画素であってもよく、第２サブ画素はＧサブ画素であってもよく、第３サブ画素はＲサブ画素であってもよく、サブ画素の色が色座標によって表されるとき、第１サブ画素に対応する第１置換割合ＲＷ１Ｂ、第２サブ画素に対応する第１置換割合ＲＷ１Ｇ、第３サブ画素に対応する第１置換割合ＲＷ１Ｒは、
【００５８】
【数４】
2021517976.tif 000006
【００５９】
を満たし、
ここで、第１サブ画素の初期色の色座標は（ＢＸ、ＢＹ）であり、第２サブ画素の初期色の色座標は（ＧＸ、ＧＹ）であり、第３サブ画素の初期色の色座標は（ＲＸ、ＲＹ）であり、第１初期色の色座標は（Ｗ１Ｘ、Ｗ１Ｙ）であり、目標色の色座標は（Ｗ２Ｘ、Ｗ２Ｙ）であり、且つＲＺ＝１−ＲＸ−ＲＹ、ＧＺ＝１−ＧＸ−ＧＹ、ＢＺ＝１−ＢＸ−ＢＹ、Ｗ１Ｚ＝１−Ｗ１Ｘ−Ｗ１Ｙである。
【００６０】
ステップ２０１３において、目標色と少なくとも２つの表示サブ画素の初期色に基づいて、目標色に対する各表示サブ画素の初期色の第２置換割合をそれぞれに取得する。
【００６１】
ここで、第２置換割合は、各表示サブ画素の初期色が目標色に占める割合であり、目標色は、各表示サブ画素の色がいずれもそれぞれの初期色である場合に、参照画素ユニットに対し色度補正を行った後に、当該参照画素ユニットが表示すべき色である。例えば、当該目標色は、各表示サブ画素の色がいずれもそれぞれの初期色である場合に、ある応用状況に要求される参照画素ユニットが最終的に表示する必要がある色であってもよい。例示的に、表示パネルの各画素ユニットにおける表示サブ画素の色がいずれもそれぞれの初期色である場合に、表示パネルは通常の表示時には標準白色を表示すべきであるが、応用状況のニーズに応じて、当該表示パネルによって表示される目標色は赤みがかった白色であるべきである。なお、当該ステップ２０１３の実施プロセスについて、ステップ２０１２を参照することができ、ここでは説明を省略する。
【００６２】
ステップ２０１４において、第１置換割合と第２置換割合に基づいて、第１輝度における第１初期色の第１補色係数、及び第１輝度における目標色の第２補色係数をそれぞれに確定する。
【００６３】
ここで、第１補色係数は、第１初期色を取得するときに、色度補正を行う必要がある度合いを表すために使用され、第２補色係数は、目標色を取得するときに、色度補正を行う必要がある度合いを表すために使用される。ＲＧＢＷ  ＯＬＥＤ表示装置の通常の表示プロセスに、各画素ユニットに供給される表示するように駆動するための信号は、いずれもＲ初期信号、Ｇ初期信号、及びＢ初期信号からＲ信号、Ｇ信号、Ｂ信号、及びＷ信号に変換された後、対応するサブ画素に供給される。したがって、当該第１補色係数は、第１初期色を画素ユニットに表示させる信号を得るために通常の表示の変換プロセスに初期信号に基づいて変換されるとき、初期信号を補正する必要がある程度とみなされることができる。第２補色係数は、目標色を画素ユニットに表示させる信号を得るために通常の表示のうえで変換プロセスに初期信号に基づいて変換されるとき、初期信号を補正する必要がある程度とみなされることができる。
【００６４】
選択肢の一つとして、第１初期色の色座標と目標色の色座標との相対位置に基づいて、当該第１補色係数及び当該第２補色係数を確定することができる。例えば、サブ画素の色が色座標によって表されるとき、図７に示すように、その実施形態は以下のステップを含む。
【００６５】
ステップ２０１４ａ１において、色座標系における第１初期色の色座標と目標色の色座標との相対位置を取得する。
【００６６】
当該色座標系は、国際照明委員会によって策定された色度標準ＣＩＥ１９３１に従って確立された色座標系であってもよい。色座標系における第１初期色の色座標の位置と色座標系における目標色の色座標の位置を確定した後、両者の相対位置を確定することができる。当該相対位置は少なくとも以下の３つの種類として表されてもよく、第１種類はＷ１Ｙ≧Ｗ２Ｙであり、第２種類はＷ１Ｘ≧Ｗ２Ｘ且つＷ１Ｙ＜Ｗ２Ｙであり、第３種類はＷ１Ｘ＜Ｗ２Ｘ且つＷ１Ｙ＜Ｗ２Ｙであり、ここで、（Ｗ１Ｘ、Ｗ１Ｙ）は、第１初期色の色座標であり、（Ｗ２Ｘ、Ｗ２Ｙ）は、目標色の色座標である。
【００６７】
ステップ２０１４ａ２において、相対位置に基づいて、第１初期色が目標色からずれる原因となるドミナントカラーコンポーネントを確定する。
【００６８】
ここで、ドミナントカラーコンポーネントは、第１初期色が目標色からずれる原因となるカラーコンポーネントのうち割合が最も大きいカラーコンポーネントである。例えば、第１初期色が目標色に対して赤色に偏っている場合、当該ドミナントカラーコンポーネントは赤色であってもよい。または、図４に示すように、第１初期色が目標色に対して青色と赤色の両方に偏って、青色に偏っている度合いが赤色に偏っている度合いより大きい場合、当該ドミナントカラーコンポーネントは青色であってもよい。
【００６９】
例示的に、各画素ユニットは、第１サブ画素、第２サブ画素、および第３サブ画素を含んでもよく、サブ画素の色が色座標によって表されるとき、相対位置に基づいて、第１初期色が目標色からずれる原因となるドミナントカラーコンポーネントを確定する実施プロセスは、第１初期色の色座標（Ｗ１Ｘ、Ｗ１Ｙ）と目標色の色座標（Ｗ２Ｘ、Ｗ２Ｙ）がＷ１Ｙ≧Ｗ２Ｙを満たすとき、第２サブ画素の発光色をドミナントカラーコンポーネントとして確定することと、第１初期色の色座標（Ｗ１Ｘ、Ｗ１Ｙ）と目標色の色座標（Ｗ２Ｘ、Ｗ２Ｙ）がＷ１Ｘ≧Ｗ２Ｘ且つＷ１Ｙ＜Ｗ２Ｙを満たすとき、第３サブ画素の発光色をドミナントカラーコンポーネントとして確定することと、第１初期色の色座標（Ｗ１Ｘ、Ｗ１Ｙ）と目標色の色座標（Ｗ２Ｘ、Ｗ２Ｙ）がＷ１Ｘ＜Ｗ２Ｘ且つＷ１Ｙ＜Ｗ２Ｙを満たすとき、第１サブ画素の発光色をドミナントカラーコンポーネントとして確定することと、を含んでもよい。
【００７０】
ステップ２０１４ａ３において、発光色がドミナントカラーコンポーネントであるサブ画素の第１置換割合を、第１補色係数として確定し、発光色がドミナントカラーコンポーネントであるサブ画素の第２置換割合を、第２補色係数として確定する。
【００７１】
第１初期色が目標色からずれる原因となるドミナントカラーコンポーネントを確定した後、第１初期色を画素ユニットに表示させる信号を得るために変換プロセスに初期信号に基づいて変換されるとき、当該ドミナントカラーコンポーネントに対応する第１置換割合に従って、初期信号に対し色差補正を行うことができる。ちなみに、目標色を画素ユニットに表示させる信号を得るために変換プロセスに初期信号に基づいて変換されるとき、当該ドミナントカラーコンポーネントに対応する第２置換割合に従って、初期信号に対し色差補正を行うことができる。したがって、発光色がドミナントカラーコンポーネントであるサブ画素の第１置換割合を、第１補色係数として確定し、発光色がドミナントカラーコンポーネントであるサブ画素の第２置換割合を、第２補。色係数として確定することができる。
【００７２】
つまり、第１初期色の色座標（Ｗ１Ｘ、Ｗ１Ｙ）と第１目標色の色座標（Ｗ２Ｘ、Ｗ２Ｙ）がＷ１Ｙ≧Ｗ２Ｙを満たすとき、第２サブ画素に対応する第１置換割合ＲＷ１２を第１補色係数ＲＷ１として確定し、第２サブ画素に対応する第２置換割合ＲＷ２２を第２補色係数ＲＷ２として確定することができ、即ち、ＲＷ１＝ＲＷ１２、ＲＷ２＝ＲＷ２２である。
【００７３】
第１初期色の色座標（Ｗ１Ｘ、Ｗ１Ｙ）と第１目標色の色座標（Ｗ２Ｘ、Ｗ２Ｙ）がＷ１Ｘ≧Ｗ２Ｘ且つＷ１Ｙ＜Ｗ２Ｙを満たすとき、第３サブ画素に対応する第１置換割合ＲＷ１３を第１補色係数ＲＷ１として確定し、第３サブ画素に対応する第２置換割合ＲＷ２３を第２補色係数ＲＷ２として確定することができ、即ち、ＲＷ１＝ＲＷ１３、ＲＷ２＝ＲＷ２３である。
【００７４】
第１初期色の色座標（Ｗ１Ｘ、Ｗ１Ｙ）と第１目標色の色座標（Ｗ２Ｘ、Ｗ２Ｙ）がＷ１Ｘ＜Ｗ２Ｘ且つＷ１Ｙ＜Ｗ２Ｙを満たすとき、第１サブ画素に対応する第１置換割合ＲＷ１１を第１補色係数ＲＷ１として確定し、第１サブ画素に対応する第２置換割合ＲＷ２１を第２補色係数ＲＷ２として確定することができ、即ち、ＲＷ１＝ＲＷ１１、ＲＷ２＝ＲＷ２１である。
【００７５】
ステップ２０１５において、第１補色係数及び第２補色係数に基づいて、第１輝度における各表示サブ画素の補色ゲインを確定する。
【００７６】
選択肢の一つとして、第１輝度における第１補色係数ＲＷ１、第２補色係数ＲＷ２、及び第ｉサブ画素の補色ゲインＧｉは、
【００７７】
【数５】
2021517976.tif 000007
【００７８】
を満たし、
ここで、ＲＷ２ｉは、第ｉサブ画素に対応する第２置換割合であり、ＲＷ１ｉは、第ｉサブ画素に対応する第１置換割合であり、ｎは、サブ画素に供給される駆動出力信号のビット数であり、当該駆動出力信号は、光を発するようにサブ画素を駆動するために使用される。
【００７９】
例示的に、各表示サブ画素に提供される駆動出力信号が８ビット信号であると仮定すると、ｎ＝８であり、当該各表示サブ画素の輝度は、［０、２５５］間の階調値で表されることができ、相応的に、第１サブ画素に対応する補色ゲインＧ１、第２サブ画素に対応する補色ゲインＧ２、および第３サブ画素に対応する補色ゲインＧ３は、それぞれ、
【００８０】
【数６】
2021517976.tif 000008
【００８１】
であり、
ステップ２０２において、目標色と各表示サブ画素の初期色の下で、各表示サブ画素の輝度と補色ゲインとの対応関係を確立する。
【００８２】
表示パネル内のすべての参照画素ユニットに対してステップ２０１を実行した後、目標色および各表示サブ画素のそれぞれの初期色の下で、異なる参照輝度における各表示サブ画素の補色ゲインを取得することができ、これに基づいて、表示サブ画素、補色ゲイン、および輝度を１対１に対応させて、各表示サブ画素の輝度および補色ゲインが記載された対応関係を取得することができる。選択肢の一つとして、当該対応関係の表現形式は様々であり、例えば、テーブルで当該対応関係を表してもよく、曲線で当該対応関係を表してもよく、また、いずれかの表示サブ画素に対応する曲線は、複数の参照輝度における当該いずれかの表示サブ画素の補色ゲインに基づいて曲線フィッティングを実行することにより得られてもよい。例えば、輝度と表示サブピクセルの補色ゲインとの対応関係を表すために使用される曲線を得るために、表示サブ画素が表示できる輝度の範囲内で複数の参照輝度を選択し、各参照輝度における表示サブ画素に対応する補色ゲインをそれぞれに取得し、各参照輝度と対応する補色ゲインが１つの特徴点を形成することをもとに,二次曲線フィッティング法により複数の特徴点に対し曲線フィッティングを行う。
【００８３】
ここで、各表示サブ画素は複数のグループの対応関係に対応することができ、各グループの対応関係は、当該表示サブ画素の１つの初期色に基づいて、当該表示サブ画素が存在する参照画素ユニットを目標色に補正する際の輝度と補正ゲインとの対応関係を表すために使用される。
【００８４】
例示的に、第１サブ画素がＢサブ画素であり、第２サブ画素がＧサブ画素であり、第３サブ画素がＲサブ画素であると仮定すると、輝度と補色ゲインとの対応関係が曲線によって表される場合、異なる輝度における当該Ｂサブ画素に対応する補色ゲインについては、図８を参照する。当該図８の曲線は、当該Ｂサブ画素の１つの初期色に基づいて、当該Ｂサブ画素が存在する参照画素ユニットを目標色に補正する際の輝度と補正ゲインとの対応関係を表すために使用される。異なる輝度における当該Ｇサブ画素に対応する補色ゲインについては、図９を参照し、当該図９の曲線は、当該Ｇサブ画素の１つの初期色に基づいて、当該Ｇサブ画素が存在する参照画素ユニットを目標色に補正する際の輝度と補正ゲインとの対応関係を表すために使用される。異なる輝度における当該Ｒサブ画素に対応する補色ゲインについては、図１０を参照し、当該図１０の曲線は、当該Ｒサブ画素の１つの初期色に基づいて、当該Ｒサブ画素が存在する参照画素ユニットを目標色に補正する際の輝度と補正ゲインとの対応関係を表すために使用される。また、図８、図９、および図１０から分かるように、異なる輝度における異なるサブ画素と補色ゲインとの対応関係は、異なる変化傾向を示す。
【００８５】
ステップ２０３において、目標輝度における目標画素ユニット内の表示サブ画素の初期色、及び目標輝度における目標画素ユニットの目標色を取得する。
【００８６】
目標画素ユニットと参照画素ユニットは、同じ表示パネル内の画素ユニットであってもよい。同じ表示パネル内の画素ユニットは基本的に同じ表示特性を有するため、当該参照画素ユニットによって得られた対応関係に従って目標画素ユニットに対し色度補正を行う場合、補正の精度を保証することができる。
【００８７】
目標画素ユニットの少なくとも２つの表示サブ画素の色がそれぞれの初期色である場合、応用ニーズの指示の下で、当該目標画素ユニットの目標色を確定してもよい。ここで、応用ニーズの指示に従って、目標画素ユニットに各表示サブ画素がそれぞれの初期色である場合、目標画素ユニットの目標色は、指定色であり得る。表示サブ画素の初期色は、表示する必要のある画面に応じて確定される。ちなみに、表示サブ画素の初期色及び対応する目標画素ユニットの目標色は、いずれも表示装置のメモリに記憶されてもよい。表示プロセスに、当該メモリに記憶されたデータを読み取ることにより、当該初期色と当該目標色を取得することができる。
【００８８】
ステップ２０４において、目標色と各表示サブ画素の初期色に基づいて、目標輝度における各表示サブ画素の補色ゲインをそれぞれに取得する。
【００８９】
選択肢の一つとして、目標色といずれかの表示サブ画素の初期色に基づいて、いずれかの表示サブ画素の輝度と補色ゲインとの対応関係をクエリして、目標輝度におけるいずれかの表示サブ画素の補色ゲインを確定してもよい。当該対応関係には、いずれかの表示サブ画素が、初期色と異なる輝度の下で、目標画素ユニットを目標色の補色ゲインに補正することが記載された。例示的に、図１１を参照すると、その実施プロセスは以下のステップを含んでもよい。
【００９０】
ステップ２０４１において、目標輝度に従って、対応関係をクエリする。
【００９１】
当該対応関係には、複数の参照輝度における表示サブ画素に対応する補色ゲインが記載されてもよく、つまり、当該対応関係には、全ての輝度における表示サブ画素の補色ゲインが記載されていない可能性があり、したがって、目標輝度における表示サブ画素に対応する補色ゲインを取得する際には、まず目標輝度に従って対応関係をクエリして、当該対応関係には当該目標輝度が記載されているか否かを確定してもよく、対応関係には当該目標輝度が記載されたときに、ステップ２０４２を実行し、対応関係には当該目標輝度が記載されていないときに、ステップ２０４３を実行する。
【００９２】
ステップ２０４２において、対応関係には目標輝度が記載されたとき、目標輝度に対応する補色ゲインを、目標輝度におけるいずれかの表示サブ画素の補色ゲインとして確定する。
【００９３】
対応関係には目標輝度が記載されたとき、当該目標輝度に従って当該対応関係をクエリし、当該目標輝度における表示サブ画素に対応する補色ゲインを、目標輝度における当該いずれかの表示サブ画素の補色ゲイン（説明の便宜上、以下では、目標補色ゲインと略称する）としてそれぞれに確定する。
【００９４】
例示的に、目標輝度が１００ニッツ（ｎｉｔｓ）であり、複数の参照輝度がそれぞれＬＷ１＝２５ｎｉｔｓ、ＬＷ２＝５０ｎｉｔｓ、ＬＷ３＝７５ｎｉｔｓ、ＬＷ４＝１００ｎｉｔｓ、ＬＷ５＝１２５ｎｉｔｓ、ＬＷ６＝１５０ｎｉｔｓ、ＬＷ７＝１７５ｎｉｔｓであり、図８、図９及び図１０に示す対応関係には、当該複数の参照輝度における目標画素ユニット内の各表示サブ画素に対応する補色ゲインが記載されたことと仮定すると、当該対応関係には当該目標輝度に対応する目標補色ゲインが記載されたことがわかり、当該目標輝度に従って図８、図９及び図１０に示す対応関係をクエリすることにより、当該目標輝度におけるＢサブ画素に対応する補色ゲインが８６であり、当該目標輝度におけるＧサブ画素に対応する補色ゲインが０であり、当該目標輝度におけるＲサブ画素に対応する補色ゲインが４１であることが分かり、８６を当該目標輝度におけるＢサブ画素の目標補色ゲインとして確定し、０を当該目標輝度におけるＧサブ画素の目標補色ゲインとして確定し、４１を当該目標輝度におけるＲサブ画素の目標補色ゲインとして確定する。
【００９５】
ステップ２０４３において、対応関係には目標輝度が記載されていないとき、対応関係には記載された複数の輝度の中から第１候補輝度と第２候補輝度を確定し、第１候補輝度は、複数の輝度のうち目標輝度より小さく、且つ目標輝度との輝度の差が最も小さい輝度であり、第２候補輝度は、複数の輝度のうち目標輝度より大きく、且つ目標輝度との輝度の差が最も小さい輝度である。
【００９６】
本開示の実施例において、複数の参照輝度のうち最小輝度と最大輝度以外の輝度を分割点として使用し、最小輝度と最大輝度を端点とする輝度範囲を複数の輝度区間に分割することができ、このとき、対応関係には目標輝度が記載されていない場合に、まず、目標輝度が位置する目標輝度区間を確定し、次に、当該目標輝度区間の端点に位置する２つの参照輝度に対応する補色ゲインに基づいて、当該目標輝度に対応する補色ゲインを確定し、すなわち、ステップ２０６４を実行することができ、当該目標輝度区間の端点に位置する当該２つの参照輝度は、それぞれ第１候補輝度と第２候補輝度である。
【００９７】
例示的に、複数の参照輝度がそれぞれＬＷ１＝２５ｎｉｔｓ、ＬＷ２＝５０ｎｉｔｓ、ＬＷ３＝７５ｎｉｔｓ、ＬＷ４＝１００ｎｉｔｓ、ＬＷ５＝１２５ｎｉｔｓ、ＬＷ６＝１５０ｎｉｔｓ、ＬＷ７＝１７５ｎｉｔｓであり、ＬＷ２、ＬＷ３、ＬＷ４、ＬＷ５、ＬＷ６を分割点として使用すると仮定すると、輝度範囲[２５ｎｉｔｓ、１７５ｎｉｔｓ]を６つの輝度区間に分割することができ、６つの輝度区間は、それぞれ[２５ｎｉｔｓ、５０ｎｉｔｓ）、[５０ｎｉｔｓ、７５ｎｉｔｓ）、[７５ｎｉｔｓ、１００ｎｉｔｓ）、[１００ｎｉｔｓ、１２５ｎｉｔｓ）、[１２５ｎｉｔｓ、１５０ｎｉｔｓ]、および[１５０ｎｉｔｓ、１７５ｎｉｔｓ]であり、目標輝度が４０ｎｉｔｓの場合、当該目標輝度が位置する目標輝度間隔は[２５ｎｉｔｓ、５０ｎｉｔｓ）であると確定でき、その後、２５ｎｉｔｓを第１候補輝度として確定し、５０ｎｉｔｓを第２候補輝度として確定することができる。
【００９８】
ステップ２０４４において、目標輝度、第１候補輝度、第２候補輝度、第１候補輝度に対応する補色ゲイン、及び第２候補輝度に対応する補色ゲインに基づいて、線形補間法に従って目標輝度におけるいずれかの表示サブ画素の補色ゲインを確定する。
【００９９】
第１候補輝度と第２候補輝度を確定した後、当該第１候補輝度と第２候補輝度に基づいて、線形補間法に従って目標輝度におけるいずれかの表示サブ画素に対応する目標補色ゲインを確定することができる。
【０１００】
一実施形態では、目標輝度がＬ１、第１候補輝度がＬ２、第２候補輝度がＬ３、第１候補輝度における表示サブ画素ｉに対応する補色ゲインがＧｉ１、第２候補輝度における表示サブ画素ｉに対応する補色ゲインがＧｉ２であると仮定すると、線形補間式に従って目標輝度における表示サブ画素ｉに対応する目標補色ゲインがＧｉＬ１を確定することができ、当該線形補間式は、
【０１０１】
【数７】
2021517976.tif 000009
【０１０２】
である。
【０１０３】
例示的に、目標輝度が４０ｎｉｔｓであると仮定すると、図８、図９、および図１０に示す対応関係によれば、第１候補輝度が２５ｎｉｔｓであり、第２候補輝度が５０ｎｉｔｓであり、第１候補輝度における第１サブ画素、第２サブ画素、および第３サブ画素に対応する補色ゲインが、それぞれ９５、０、および５５であり、第２候補輝度における第１サブ画素、第２サブ画素、および第３サブ画素に対応する補色ゲインが、それぞれ９１、０、および４７であり、線形補間式に従って、目標輝度における第１サブ画素、第２サブ画素、および第３サブ画素に対応する目標補色ゲインが、それぞれ９２.６、０、および５０.２であると確定することができる。
【０１０４】
なお、表示パネルの表示プロセスに、目標輝度における各表示サブ画素の補色ゲインをリアルタイムで計算する実施プロセスについて、相応的にステップ２０１１〜ステップ２０１５を参照でき、このとき、ステップ２０１１〜ステップ２０１５における第１輝度は、当該目標輝度である。相応的に、補色ゲインをリアルタイムで計算するプロセスでは、上記の輝度と補色ゲインとの対応関係を使用する必要がないため、上記のステップ２０１〜ステップ２０２を実行しないことを選択できる。
【０１０５】
ステップ２０５において、目標輝度におけるいずれかの表示サブ画素の補色ゲインに基づいて、当該いずれかの表示サブ画素に供給される駆動出力信号を確定し、当該駆動出力信号に基づいて目標画素ユニットの色度を補正するために、当該駆動出力信号を当該いずれかの表示サブ画素に供給する。
【０１０６】
各表示サブ画素の色は、いずれも白色発光サブ画素にフィルタを追加することによって得られるので、表示サブ画素の目標補色ゲインが確定した後、当該表示サブ画素の色が変化するように当該目標補色ゲインに従って表示サブ画素内の白色発光サブ画素の輝度を変更することができ、これによって、当該目標画素ユニットの光色が変更され、当該目標画素ユニットに対する色度補償が実現される。つまり、目標補色ゲインに基づいて当該いずれかの表示サブ画素の目標出力輝度を確定し、当該いずれかの表示サブ画素の目標出力輝度に基づいて、当該目標出力輝度に到達するように当該いずれかの表示サブ画素を駆動するのに必要なデータ信号（Ｄａｔｅ信号）を確定し、ソースドライバが当該データ信号に基づいて対応する駆動出力信号を生成するために当該データ信号をソースドライバに送信し、当該駆動出力信号を当該いずれかの表示サブ画素に供給し、当該駆動出力信号を用いて対応するサブ画素に対し充電することにより、対応するサブ画素を駆動して表示を行い、さらに目標画素ユニットに対する色度補償を実現する。
【０１０７】
選択肢の一つとして、当該目標補色ゲインに基づいていずれかの表示サブ画素の目標出力輝度を確定する実施形態は、当該目標補色ゲインに基づいて輝度ゲインを確定し、当該いずれかの表示サブ画素の元の輝度と輝度ゲインとの合計を対応する目標出力輝度に更新し、目標画素ユニットの白色サブ画素の輝度を変更せずに維持することを含んでもよく、ここで、当該いずれかの表示サブ画素の輝度ゲインは、目標画素ユニットによって表示可能な最大階調値および目標輝度に応じて確定されることができる。例えば、輝度ゲインＭ、目標輝度Ｌ、目標補色ゲインＧ、および最大階調値Ｑは、Ｍ＝（Ｇ/Ｑ）×Ｌを満たす。
【０１０８】
以上のように、本開示の実施例による色度補償方法は、目標色と各表示サブ画素の初期色に基づいて、目標輝度における各表示サブ画素の補色ゲインをそれぞれに取得し、当該補色ゲインに基づいて、目標画素ユニットの色度を補正することにより、異なる応用状況に応じて表示パネルによって表示される色を補正することができ、これにより、表示パネルによって表示される色が異なる応用状況を満たし、ひいては表示パネルの表示柔軟性を向上させ、表示パネルが様々な応用状況に適用されるようにする。
【０１０９】
本開示の実施例は、色度補正装置に関し、図１２に示すように、装置７００は、以下のモジュールを含むことができる。
【０１１０】
第１取得モジュール７０１は、目標輝度における発光色が異なる少なくとも２つの表示サブ画素を含む目標画素ユニット内の表示サブ画素の初期色、及び目標輝度における目標画素ユニットの目標色を取得するように構成される。
【０１１１】
第２取得モジュール７０２は、目標色と各表示サブ画素の初期色に基づいて、目標輝度の下で、各表示サブ画素の補色ゲインをそれぞれに取得するように構成される。
【０１１２】
補正モジュール７０３は、目標輝度における各表示サブ画素の補色ゲインに基づいて、目標画素ユニットの色度を補正するように構成される。
【０１１３】
ここで、目標輝度におけるいずれかの表示サブ画素の補色ゲインは、目標輝度の下で、目標画素ユニットの色を初期色から目標色に補正するときに、いずれかの表示サブ画素を補正する必要がある度合いを表すために使用される。
【０１１４】
以上のように、本開示の実施例による色度補償装置は、第２取得モジュールが目標色と各表示サブ画素の初期色に基づいて、目標輝度における各表示サブ画素の補色ゲインをそれぞれに取得し、補正モジュールが当該補色ゲインに基づいて、目標画素ユニットの色度を補正することにより、異なる応用状況に応じて表示パネルによって表示される色を補正することができ、これにより、表示パネルによって表示される色が異なる応用状況を満たし、ひいては表示パネルの表示柔軟性を向上させ、表示パネルが様々な応用状況に適用されるようにする。
【０１１５】
選択肢の一つとして、第２取得モジュール７０２は、目標色といずれかの表示サブ画素の初期色に基づいて、いずれかの表示サブ画素の輝度と補色ゲインとの対応関係をクエリして、目標輝度におけるいずれかの表示サブ画素の補色ゲインを確定するように構成され、対応関係には、いずれかの表示サブ画素が、初期色と異なる輝度の下で、目標画素ユニットを目標色の補色ゲインに補正することが記載される。
【０１１６】
選択肢の一つとして、第２取得モジュール７０２は、さらに、目標色と各表示サブ画素の初期色に基づいて、複数の参照輝度の下で、各表示サブ画素の補色ゲインをそれぞれに取得するように構成される。
【０１１７】
相応的に、図１３に示すように、装置７００は、目標色と各表示サブ画素の初期色の下で、各表示サブ画素の輝度と補色ゲインとの対応関係を確立するように構成された確立モジュール７０４をさらに含んでもよい。
【０１１８】
選択肢の一つとして、図１４に示すように、第２取得モジュール７０２は、以下のモジュールを含んでもよい。
【０１１９】
第１確立サブモジュール７０２１は、第１輝度の下で、少なくとも２つの表示サブ画素の初期色に基づいて、目標画素ユニットの第１初期色を確定するように構成され、第１輝度は、目標輝度または複数の参照輝度のいずれかである。
【０１２０】
第１取得サブモジュール７０２２は、第１初期色と少なくとも２つの表示サブ画素の初期色に基づいて、第１初期色に対する各表示サブ画素の初期色の第１置換割合をそれぞれに取得するように構成され、第１置換割合は、各表示サブ画素の初期色が第１初期色に占める割合である。
【０１２１】
第２取得サブモジュール７０２３は、目標色と少なくとも２つの表示サブ画素の初期色に基づいて、目標色に対する各表示サブ画素の初期色の第２置換割合をそれぞれに取得するように構成され、第２置換割合は、各表示サブ画素の初期色が目標色に占める割合である。
【０１２２】
第２確立サブモジュール７０２４は、第１置換割合と第２置換割合に基づいて、第１輝度における第１初期色の第１補色係数、及び第１輝度における目標色の第２補色係数をそれぞれに確定するように構成され、ここで、第１補色係数は、第１初期色を取得するときに、色度補正を行う必要がある度合いを表すために使用され、第２補色係数は、目標色を取得するときに、色度補正を行う必要がある度合いを表すために使用される。
【０１２３】
第３確立サブモジュール７０２５は、第１補色係数と第２補色係数に基づいて、第１輝度における各表示サブ画素の補色ゲインを確定するように構成される。
【０１２４】
選択肢の一つとして、少なくとも２つの表示サブ画素は、第１サブ画素、第２サブ画素、および第３サブ画素を含んでもよく、サブ画素の色が色座標によって表されるとき、第１サブ画素に対応する第ｊ置換割合ＲＷｊ１、第２サブ画素に対応する第ｊ置換割合ＲＷｊ２、第３サブ画素に対応する第ｊ置換割合ＲＷｊ３は、
【０１２５】
【数８】
2021517976.tif 000010
【０１２６】
を満たし、
ここで、ｊは１または２であり、第１サブ画素の初期色の色座標は（ＢＸ、ＢＹ）であり、第２サブ画素の初期色の色座標は（ＧＸ、ＧＹ）であり、第３サブ画素の初期色の色座標は（ＲＸ、ＲＹ）であり、第１初期色の色座標は（Ｗ１Ｘ、Ｗ１Ｙ）であり、第１目標色の色座標は（Ｗ２Ｘ、Ｗ２Ｙ）であり、且つＲＺ＝１−ＲＸ−ＲＹ、ＧＺ＝１−ＧＸ−ＧＹ、ＢＺ＝１−ＢＸ−ＢＹ、Ｗ１Ｚ＝１−Ｗ１Ｘ−Ｗ１Ｙ、Ｗ２Ｚ＝１−Ｗ２Ｘ−Ｗ２Ｙである。
【０１２７】
選択肢の一つとして、サブ画素の色が色座標によって表されるとき、第２確立サブモジュール７０２４は、
色座標系における第１初期色の色座標と目標色の色座標との相対位置を取得し、
相対位置に基づいて、第１初期色が目標色からずれる原因となるドミナントカラーコンポーネントを確定し、
発光色がドミナントカラーコンポーネントであるサブ画素の第１置換割合を、第１補色係数として確定し、
発光色がドミナントカラーコンポーネントであるサブ画素の第２置換割合を、第２補色係数として確定する、
ように構成され、
ドミナントカラーコンポーネントは、第１初期色が目標色からずれる原因となるカラーコンポーネントのうち割合が最も大きいカラーコンポーネントである。
【０１２８】
選択肢の一つとして、少なくとも２つの表示サブ画素は、第１サブ画素、第２サブ画素、および第３サブ画素を含んでもよく、第２確立サブモジュール７０２４は、
第１初期色の色座標（Ｗ１Ｘ、Ｗ１Ｙ）と第１目標色の色座標（Ｗ２Ｘ、Ｗ２Ｙ）がＷ１Ｙ≧Ｗ２Ｙを満たすとき、第２サブ画素の発光色をドミナントカラーコンポーネントとして確定し、
第１初期色の色座標（Ｗ１Ｘ、Ｗ１Ｙ）と第１目標色の色座標（Ｗ２Ｘ、Ｗ２Ｙ）がＷ１Ｘ≧Ｗ２Ｘ且つＷ１Ｙ＜Ｗ２Ｙを満たすとき、第３サブ画素の発光色をドミナントカラーコンポーネントとして確定し、
第１初期色の色座標（Ｗ１Ｘ、Ｗ１Ｙ）と第１目標色の色座標（Ｗ２Ｘ、Ｗ２Ｙ）がＷ１Ｘ＜Ｗ２Ｘ且つＷ１Ｙ＜Ｗ２Ｙを満たすとき、第１サブ画素の発光色をドミナントカラーコンポーネントとして確定する、
ように構成される。
【０１２９】
選択肢の一つとして、第１輝度における第１補色係数ＲＷ１、第２補色係数ＲＷ２、及び第ｉサブ画素の補色ゲインＧｉは、
【０１３０】
【数９】
2021517976.tif 000011
【０１３１】
を満たし、
ここで、ＲＷ２ｉは、第ｉサブ画素に対応する第２置換割合であり、ＲＷ１ｉは、第ｉサブ画素に対応する第１置換割合であり、ｎは、サブ画素に供給される駆動出力信号のビット数であり、駆動出力信号は、光を発するようにサブ画素を駆動するために使用される。
【０１３２】
選択肢の一つとして、第２取得モジュール７０２は、
目標輝度に従って、対応関係をクエリするように構成される。
対応関係には目標輝度が記載されたとき、目標輝度に対応する補色ゲインを補色ゲインとして確定する。
対応関係には目標輝度が記載されていないとき、対応関係には記載された複数の輝度の中から第１候補輝度と第２候補輝度を確定し、第１候補輝度は、複数の輝度のうち目標輝度より小さく、且つ目標輝度との輝度の差が最も小さい輝度であり、第２候補輝度は、複数の輝度のうち目標輝度より大きく、且つ目標輝度との輝度の差が最も小さい輝度である。
目標輝度、第１候補輝度、第２候補輝度、第１候補輝度に対応する補色ゲイン、及び第２候補輝度に対応する補色ゲインに基づいて、線形補間法に従って補色ゲインを確定する
。
【０１３３】
選択肢の一つとして、補正モジュール７０３は、
目標輝度におけるいずれかの表示サブ画素の補色ゲインに基づいて、いずれかの表示サブ画素に供給される光を発するようにサブ画素を駆動するために使用される駆動出力信号を確定し、
目標画素ユニットの色度を補正するために、いずれかの表示サブ画素に駆動出力信号を供給するように構成される。
【０１３４】
以上のように、本開示の実施例による色度補償装置は、第２取得モジュールが目標色と各表示サブ画素の初期色に基づいて、目標輝度における各表示サブ画素の補色ゲインをそれぞれに取得し、補正モジュールが当該補色ゲインに基づいて、目標画素ユニットの色度を補正することにより、異なる応用状況に応じて表示パネルによって表示される色を補正することができ、これにより、表示パネルによって表示される色が異なる応用状況を満たし、ひいては表示パネルの表示柔軟性を向上させ、表示パネルが様々な応用状況に適用されるようにする。
【０１３５】
本開示の実施例は、表示装置に関し、当該表示装置は、表示パネル及び本開示の実施例による色度補償装置を含む。当該表示装置は、液晶パネル、電子ペーパー、携帯電話、タブレットコンピュータ、テレビ、ディスプレイ、ノートパソコン、デジタルフォトフレーム、ナビゲーションなど、表示機能を備えたあらゆる製品または部品であってもよい。
【０１３６】
選択肢の一つとして、図１５を参照すると、当該表示装置は、タイミングコントローラー、ソースドライバ、ゲートドライバ、及びデータメモリなどをさらに含んでもよい。ここで、本開示の実施例による色度補償装置は、タイミングコントローラに設けられてもよく、ゲートドライバと表示パネルはゲートライン（Ｇａｔｅ  Ｌｉｎｅ、ＧＬ）を介して接続され、ソースドライバと表示パネルはデータライン（Ｄａｔｅ  Ｌｉｎｅ、ＤＬ）を介して接続され、表示パネルに電源信号ＥＬ（たとえば、アノード信号とカソード信号）がさらにロードされる。
【０１３７】
タイミングコントローラは、データメモリに記憶された第１色データ（例えば、各表示サブ画素の初期色または色座標）を読み取り、外部から入力された各表示サブ画素の第２色データを受信し、タイミング制御信号を受信するように構成される。例えば、第２色データは、応用状況においてＲサブ画素、Ｇサブ画素、およびＢサブ画素によって表示される必要がある色のデータであってもよく、または、第２色データは、応用状況において目標画素ユニットによって表示される必要がある目標色のデータであってもよい。タイミングコントローラーは、各信号とデータを計算、変換、および補正した後、Ｄａｔｅ信号、ソース制御信号（Ｓｏｕｒｃｅ  Ｃｏｎｔｒｏｌ  Ｓｉｇｎａｌ、ＳＣＳ）およびゲート制御信号（Ｇａｔｅ  Ｃｏｎｔｒｏｌ  Ｓｉｇｎａｌ、ＧＣＳ）を生成し、Ｄａｔｅ信号とＳＣＳをソースドライバーに送信し、ＧＣＳをゲートドライバーに送信することができる。
【０１３８】
図１６を参照すると、タイミングコントローラは、タイミング変換ユニット、輝度変換ユニット、アルゴリズム補正ユニット、色度補正ユニット、およびデータ変換ユニットを含む。ここで、色度補正ユニットには本開示の実施例による色度補正装置が配置され、ちなみに、タイミング変換ユニットは、タイミング制御信号を受信し、ＳＣＳおよびＧＣＳを生成するように構成される。輝度変換ユニットは、外部から入力された各表示サブ画素の第２色データを受信し、それを各表示サブ画素の輝度信号に変換し、当該輝度信号をアルゴリズム補正ユニットに送信するように構成される。アルゴリズム補正ユニットは、輝度変換ユニットから送信された輝度信号を受信した後、ＲＧＢーＲＧＢＷアルゴリズム、ピーク輝度アルゴリズム、駆動ＴＦＴ特性値補正、ＯＬＥＤ特性値補正、光学補正などの補正アルゴリズムに従って輝度信号を補正し、補正された輝度信号を色度補正ユニットに送信することができる。色度補正ユニットは、本開示の実施例による色度補正方法に従って、異なる画素ユニット、異なる色、および異なる輝度の色座標に対して色度補正を行って、色度補正が行われた輝度信号を生成し、当該色度補正が行われた輝度信号をデータ変換ユニットに送信することができる。データ変換ユニットは、当該輝度信号をグレースケールデータ信号（例えばＤａｔｅ信号）に変換し、当該グレースケールデータ信号をソースドライバに送信することができ、ソースドライバは、当該グレースケールデータ信号に従って対応する駆動出力信号を生成し、当該駆動出力信号を表示サブ画素に供給することにより、画素ユニットを駆動して表示を行う。
【０１３９】
データメモリには、表示パネルにおける異なる画素、異なる色、及び異なる輝度の色座標データ、および異なる駆動薄膜トランジスタ（Ｔｈｉｎ  Ｆｉｌｍ  Ｔｒａｎｓｉｓｔｏｒ、ＴＦＴ）の特性値（例えば、ＴＦＴの閾値電圧Ｖｔｈと遷移率Ｋなどの特性値）が記憶され、且つ、異なるＯＬＥＤデバイスの特性値（例えば、ＯＬＥＤの閾値電圧Ｖｏｌｅｄ）も記憶され、同時に異なるＴＦＴ特性値と異なるＯＬＥＤデバイスの光学補正特性値も記憶される。
【０１４０】
ソースドライバは、タイミングコントローラから出力されたＤａｔｅ信号およびＳＣＳを受信し、それに従ってソース駆動電圧を生成し、データラインＤＬを介して当該ソース駆動電圧を表示パネルに送信するように構成される。ゲートドライバは、ＧＣＳを受信し、当該ＧＣＳに基づいてゲート駆動信号を生成し、少なくとも１つのゲートラインＧＬを介して当該ゲート駆動信号を表示パネルに送信するように構成される。
【０１４１】
表示パネルは、複数の画素ユニットおよび光を発するようにＯＬＥＤを駆動する電源(例えば、アノード電源ＥＬＶＤＤおよびカソード電源ＥＬＶＳＳ)を含む。図１７を参照すると、各画素ユニットは、少なくとも１つのデータラインＤＬ、少なくとも１つのゲートラインＧＬ、ＯＬＥＤデバイス、蓄電コンデンサＣｓｔ、スイッチＴＦＴ Ｔ１、駆動ＴＦＴ Ｔ２、アノード電源ＥＬＶＤＤ、およびカソード電源ＥＬＶＳＳを含む。
【０１４２】
本開示の実施例は、色度補正デバイスに関し、当該色度補正デバイスは、プロセッサとメモリとを含む。当該メモリには少なくとも１つのプログラムが記憶され、少なくとも１つのプログラムは、プロセッサによって実行されるように構成され、少なくとも１つのプログラムがプロセッサによって実行されるとき、本開示の実施例による色度補正方法を実現することができる。
【０１４３】
本開示の実施例は、記憶媒体に関し、当該記憶媒体は、不揮発性記憶媒体であってもよく、記憶媒体にはコンピュータプログラムが記憶され、記憶されたコンピュータプログラムがプロセッサによって実行されるとき、本開示の実施例による色度補正方法を実現することができる。
【０１４４】
なお、本開示における「および／または」という用語は、関連対象を説明する関連関係にすぎ、３種類の関係が存在することを示し、例えば、Ａおよび／またはＢは、Ａが単独に存在し、ＡとＢが同時に存在し、Ｂが単独に存在するという３つの場合を表すことができる。また、本説明書では文字「/」は、通常、コンテキストオブジェクトが「または」という関係であることを示す。
【０１４５】
上記の説明は、本開示の好ましい実施例にすぎ、本開示を限定するものではない。本開示の精神および原理の範囲内でなされた変更、等効の置換、および改良は、本開示の範囲に含まれるものとする。
【符号の説明】
【０１４６】
７００  色度補正装置
７０１  第１取得モジュール
７０２  第２取得モジュール
７０３  補正モジュール
７０４  確立モジュール
７０２１  第１確立サブモジュール
７０２２  第１取得サブモジュール
７０２３  第２取得サブモジュール
７０２４  第２確立サブモジュール
７０２５  第３確立サブモジュール
【図１】
2021517976.tif 000015
【図２】
2021517976.tif 000016
【図３】
2021517976.tif 000017
【図４】
2021517976.tif 000018
【図５】
2021517976.tif 000019
【図６】
2021517976.tif 000020
【図７】
2021517976.tif 000021
【図８】
2021517976.tif 000022
【図９】
2021517976.tif 000023
【図１０】
2021517976.tif 000024
【図１１】
2021517976.tif 000025
【図１２】
2021517976.tif 000026
【図１３】
2021517976.tif 000027
【図１４】
2021517976.tif 000028
【図１５】
2021517976.tif 000029
【図１６】
2021517976.tif 000030
【図１７】
2021517976.tif 000031
【国際調査報告】
2021517976.tif 000032
2021517976.tif 000033
2021517976.tif 000034
2021517976.tif 000035